(57)【要約】【課題】フラッディングの判定精度を向上させる。【解決手段】燃料電池システム１００の制御装置２００が、燃料電池システム１００の運転履歴に基づいて単セル１の触媒の劣化度合いに応じた適正ＩＶ特性を推定し、適正ＩＶ特性に基づいて燃料電池スタック１０の負荷に応じた単セル１の適正温度を算出し、単セル１の中から選択された代表セルと、代表セルよりもフラッディングが生じやすいフラッディング判定用セルと、の少なくとも２つの単セル１の温度を取得し、フラッディング判定用セルの温度が適正温度以上であって、フラッディング判定用セルと代表セルとの温度差が所定値以上のときに、少なくともフラッディング判定用セルでフラッディングが生じていると判定するように構成される。【選択図】図１
2016134258.tif 000002
【特許請求の範囲】
【請求項１】
燃料ガスと酸化剤ガスとの電気化学反応により電力を発生する燃料電池単セルを複数積層して構成された燃料電池スタックを備える燃料電池システムの制御装置であって、
前記燃料電池システムの運転履歴に基づいて、前記燃料電池単セルの触媒の劣化度合いに応じた適正ＩＶ特性を推定し、
前記適正ＩＶ特性に基づいて、前記燃料電池スタックの負荷に応じた前記燃料電池単セルの適正温度を算出し、
前記燃料電池単セルの中から選択された代表セルと、前記代表セルよりもフラッディングが生じやすいフラッディング判定用セルと、の少なくとも２つの前記燃料電池単セルの温度を取得し、前記フラッディング判定用セルの温度が前記適正温度以上であって、前記フラッディング判定用セルと前記代表セルとの温度差が所定値以上のときに、少なくとも前記フラッディング判定用セルでフラッディングが生じていると判定するように構成された、
ことを特徴とする燃料電池システムの制御装置。
【発明の詳細な説明】
【技術分野】
【０００１】
本発明は燃料電池システムの制御装置に関する。
【背景技術】
【０００２】
従来の燃料電池システムの制御装置として、所定の閾値よりも電圧が低い燃料電池単セル（以下「単セル」という。）があるか否かを判定し、所定の閾値よりも電圧が低い単セルがあった場合には、さらに電圧低下の原因が電解質膜の過剰な加湿（フラッディング）によるものか、過剰な乾燥によるものかを判定し、判定結果に応じて水排出運転（フラッディング解消運転）又は乾燥抑制運転のいずれか一方を行うように構成されたものがある（特許文献１参照）。
【先行技術文献】
【特許文献】
【０００３】
【特許文献１】特開２０１１−１１３６４７号公報
【発明の概要】
【発明が解決しようとする課題】
【０００４】
しかしながら、単セルの電圧低下は、前述したような電解質膜の乾湿状態の変化による一時的なＩＶ特性の悪化に起因する場合に限らず、触媒の経時劣化による永続的なＩＶ特性の悪化に起因する場合がある。
【０００５】
したがって、前述した従来の燃料電池システムの制御装置のように、所定の閾値よりも低い単セルがあった場合に必ず水排出運転又は乾燥抑制運転のいずれか一方を実施するように構成すると、単セルの電圧低下の原因が触媒の経時劣化によるＩＶ特性の悪化に起因するものであった場合には、電解質膜の乾湿状態が適切な状態であるにもかかわらず必ず水排出運転又は乾燥抑制運転のいずれか一方が実施されることになる。そのため、更なる電圧低下を招くおそれがある。
【０００６】
つまり、前述した従来の燃料電池システムの制御装置は、フラッディングが生じているか否かを判定するにあたって、触媒の経時劣化によるＩＶ特性の悪化を考慮していなかったので、フラッディングの判定精度に問題があった。
【０００７】
本発明はこのような問題に着目してなされたものであり、触媒の経時劣化によるＩＶ特性の悪化を考慮した精度の高いフラッディング判定を行うことを目的とする。
【課題を解決するための手段】
【０００８】
上記課題を解決するために、本発明の一態様によれば、燃料ガスと酸化剤ガスとの電気化学反応により電力を発生する燃料電池単セルを複数積層して構成された燃料電池スタックを備える燃料電池システムを制御する制御装置が、燃料電池システムの運転履歴に基づいて燃料電池単セルの触媒の劣化度合いに応じた適正ＩＶ特性を推定し、適正ＩＶ特性に基づいて燃料電池スタックの負荷に応じた燃料電池単セルの適正温度を算出し、燃料電池単セルの中から選択された代表セルと、代表セルよりもフラッディングが生じやすいフラッディング判定用セルと、の少なくとも２つの燃料電池単セルの温度を取得し、フラッディング判定用セルの温度が適正温度以上であって、フラッディング判定用セルと代表セルとの温度差が所定値以上のときに、少なくともフラッディング判定用セルでフラッディングが生じていると判定するように構成されている。
【発明の効果】
【０００９】
この態様によれば、フラッディングが生じているか否かを判定するにあたって、フラッディング判定用セルの温度が、触媒の経時劣化度合いに応じた単セルの適正温度よりも高いか否かを判定するので、フラッディングによる一時的なＩＶ特性の悪化によってフラッディング判定用セルの温度が高くなっているのか、又は触媒の経時劣化による永続的なＩＶ特性の悪化よってフラッディング判定用セルの温度が高くなっているのかを判別することができる。その上でさらにフラッディング判定用セルと代表セルとの温度差が所定値以上か否かを判定するので、フラッディング判定用セルからの放熱量が少ないためにフラッディング判定用セルの温度が高くなっているのか、又はフラッディングによる一時的なＩＶ特性の悪化によってフラッディング判定用セルの温度が高くなっているのかを判別することができる。よって、触媒の経時劣化を考慮した精度の高いフラッディング判定を実施することができる。
【図面の簡単な説明】
【００１０】
【図１】図１は、本発明の一実施形態による燃料電池システム及び燃料電池システムを制御する電子制御ユニットの概略構成図である。
【図２】図２は、単セルのＩＶ特性と、発電時における単セルの発熱量と、の関係について説明する図である。
【図３】図３は、本発明の一実施形態によるフラッディング判定制御について説明する図である。
【図４】図４は、本発明の一実施形態によるフラッディング判定制御について説明するフローチャートである。
【００１１】
以下、図面を参照して本発明の実施形態について詳細に説明する。なお、以下の説明では、同様な構成要素には同一の参照番号を付す。
【００１２】
図１は、本発明の一実施形態による燃料電池システム１００及び燃料電池システム１００を制御する電子制御ユニット２００の概略構成図である。
【００１３】
燃料電池システム１００は、燃料電池スタック１０と、燃料電池スタック１０に対して燃料ガスの給排を行うための燃料ガス給排装置２０と、燃料電池スタック１０に対して酸化剤ガスの給排を行うための酸化剤ガス給排装置３０と、燃料電池スタック１０を冷却する冷却水を循環させるための冷却水循環装置４０と、燃料電池スタック１０の出力端子に電気的に接続される電気負荷部５０と、を備える。
【００１４】
燃料電池スタック１０は、複数の燃料電池単セル（以下「単セル」という。）１を積層方向に沿って互いに積層し、各単セル１を電気的に直列に接続したものである。各単セル１は、膜電極接合体１ａを備える。膜電極接合体１ａは、電解質膜と、電解質膜の一側に形成されたアノード極と、電解質膜の他側に形成されたカソード極と、を備える。
【００１５】
燃料電池スタック１０で発電が行われているときは、アノード極及びカソード極の各電極で以下の電気化学反応が起こる。
アノード極  ：    ２Ｈ２→４Ｈ＋＋４ｅ−
カソード極  ：    ４Ｈ＋＋４ｅ−＋Ｏ２ →２Ｈ２Ｏ
【００１６】
各単セル１内には、アノード極に燃料ガスとしての水素を供給するための水素流通路２ａと、カソード極に酸化剤ガスとしての空気を供給するための空気流通路３ａと、が形成される。また、隣接する２つの単セル１同士間に、冷却水を供給するための冷却水流通路４ａが形成される。
【００１７】
各単セル１の水素流通路２ａ、空気流通路３ａ及び冷却水流通路４ａは、それぞれ燃料電池スタック１０内で並列に接続されており、これにより、燃料電池スタック１０内に水素通路２、空気通路３及び冷却水通路４が形成される。水素通路２、空気通路３及び冷却水通路４の入口及び出口は、それぞれ燃料電池スタック１０の積層方向一端側に設けられる。本実施形態では、燃料電池スタック１０内で水素及び空気の流れる向きが逆向きとなるように、水素通路２及び空気通路３にそれぞれ水素及び空気を供給しているが、同じ向きとなるように水素及び空気を供給しても良い。また、本実施形態では、冷却水の流れる向きを水素の流れる向きと同じ向きとしているが、逆向きとしても良い。
【００１８】
燃料ガス給排装置２０は、水素供給管２１と、水素源としての高圧水素タンク２２と、水素供給制御弁２３と、バッファ部２４と、パージ管２５と、パージ制御弁２６と、を備える。
【００１９】
水素供給管２１は、水素通路２に供給する水素が流れる配管であって、一端が高圧水素タンク２２に連結され、他端が水素通路２の入口に連結される。
【００２０】
高圧水素タンク２２は、水素供給管２１を介して水素通路２に供給するための水素を貯蔵する。
【００２１】
水素供給制御弁２３は、遮断弁２３１と、レギュレータ２３２と、インジェクタ２３３と、を含んで構成される。
【００２２】
遮断弁２３１は、電子制御ユニット２００によって開閉される電磁弁であり、水素供給管２１に設けられる。遮断弁２３１が開かれると、高圧水素タンク２２から水素供給管２１に水素が流出する。遮断弁２３１が閉じられると、高圧水素タンク２２から水素供給管２１に水素が流出しなくなる。
【００２３】
レギュレータ２３２は、遮断弁２３１よりも下流の水素供給管２１に設けられる。レギュレータ２３２は、連続的又は段階的に開度を調整することができる圧力制御弁であり、その開度は電子制御ユニット２００によって制御される。レギュレータ２３２の開度を制御することで、レギュレータ２３２下流の水素の圧力、すなわちインジェクタ２３３から噴射される水素の圧力が制御される。
【００２４】
インジェクタ２３３は、レギュレータ２３２よりも下流の水素供給管２１に設けられる。インジェクタ２３３は、例えばニードル弁であり、電子制御ユニット２００によって開閉制御される。インジェクタ２３３の開弁期間を制御することで、インジェクタ２３３から噴射される水素の流量が制御される。
【００２５】
このように、水素供給制御弁２３によって、高圧水素タンク２２から水素通路２への水素の供給が制御される。すなわち、水素供給制御弁２３によって、所望の圧力及び流量に制御された水素が、間欠的に水素通路２に供給される。
【００２６】
インジェクタ２３３よりも下流の水素供給管２１には、アノード圧力センサ２１１が設けられる。アノード圧力センサ２１１は、水素通路２内の水素の圧力（以下「アノード圧力」という。）を代表する値として、インジェクタ２３３よりも下流の水素供給管２１内の水素の圧力を検出する。
【００２７】
バッファ部２４は、例えば水素通路２の出口と連通させたタンクであり、水素通路２から流出してきたアノードオフガスを一時的に貯蔵する。アノードオフガスは、各単セル１内で電気化学反応に使用されなかった余剰の水素と、空気通路３から膜電極接合体１ａを介して水素通路２にリークしてきた窒素等の不活性ガスや水蒸気と、の混合ガスである。バッファ部２４は、アノードオフガスを一時的に貯蔵する機能を有していればよく、例えば水素通路２の下流側（出口近傍）にアノードオフガスを一時的に貯蔵できる程度の空間を形成し、その空間をバッファ部２４としても良い。すなわち、水素通路２の下流側がバッファ部２４として機能するように水素通路２を形成しても良い。
【００２８】
パージ管２５は、一端がバッファ部２４に連結され、他端が後述するカソードオフガス管３７に設けられた希釈器３９に連結される。
【００２９】
パージ制御弁２６は、電子制御ユニット２００によって開閉される電磁弁であり、パージ管２５に設けられる。パージ制御弁２６は、通常は閉弁されており、周期的に短時間にわたり開弁される。パージ制御弁２６が開弁されると、バッファ部２４内のアノードオフガスがパージ管２５を介して希釈器３９に流入する。
【００３０】
酸化剤ガス給排装置３０は、空気供給管３１と、エアクリーナ３２と、コンプレッサ３３と、インタークーラ３４と、バイパス制御弁３５と、バイパス管３６と、カソードオフガス管３７と、カソード圧力制御弁３８と、希釈器３９と、を備える。
【００３１】
空気供給管３１は、空気通路３に供給する空気が流れる配管であって、一端がエアクリーナ３２に連結され、他端が空気通路３の入口に連結される。
【００３２】
エアクリーナ３２は、空気供給管３１に吸入される空気中の異物を取り除く。エアクリーナ３２は、酸素源３２ａとなる大気中に配置される。すなわち、酸素源３２ａはエアクリーナを介して空気供給管３１と連通している。
【００３３】
コンプレッサ３３は、例えば遠心式又は軸流式のターボコンプレッサであり、空気供給管３１に設けられる。コンプレッサ３３は、エアクリーナ３２を介して空気供給管３１に吸入した空気を圧縮して吐出する。
【００３４】
インタークーラ３４は、コンプレッサ３３よりも下流の空気供給管３１に設けられ、コンプレッサ３３から吐出された空気を例えば走行風や冷却水などで冷却する。
【００３５】
コンプレッサ３３とインタークーラ３４との間の空気供給管３１には、第１流量センサ２１２が設けられる。第１流量センサ２１２は、コンプレッサ３３から吐出された空気の流量（以下「吐出空気流量」という。）を検出する。なお、第１流量センサ２１２をコンプレッサ３３よりも上流の空気供給管３１に設け、第１流量センサ２１２によってコンプレッサ３３が吸入する空気の流量を検出するようにしても良い。
【００３６】
バイパス管３６は、コンプレッサ３３から吐出された空気の一部又は全部を、必要に応じて燃料電池スタック１０を経由させずにカソードオフガス管３７に直接流入させるための配管である。バイパス管３６は、一端がバイパス制御弁３５の第２出口ポート３５ｃに連結され、カソード圧力制御弁３８と希釈器３９との間のカソードオフガス管３７に連結される。
【００３７】
バイパス管３６には、第２流量センサ２１３が設けられる。第２流量センサ２１３は、バイパス制御弁３５を介してバイパス管３６に流入してきた空気（以下「バイパス空気」という。）の流量を検出する。
【００３８】
バイパス制御弁３５は、連続的又は段階的に開度を調整することができる電動三方弁であって、入口ポート３５ａと、第１出口ポート３５ｂと、第２出口ポート３５ｃと、を備える。バイパス制御弁３５の開度は、電子制御ユニット２００によって制御される。入口ポート３５ａは、インタークーラ３４側の空気供給管３１に連結される。第１出口ポート３５ｂは、燃料電池スタック１０側の空気供給管３１に連結される。第２出口ポート３５ｃは、バイパス管３６に連結される。バイパス制御弁３５の開度を調整することで、入口ポート３５ａと、第１出口ポート３５ｂ及び第２出口ポート３５ｃと、の連通状態が調整される。
【００３９】
具体的には、バイパス制御弁３５が全閉にされたときは、入口ポート３５ａと第１出口ポート３５ｂとが連通状態となり、入口ポート３５ａと第２出口ポート３５ｃとが非連通状態となる。その結果、コンプレッサ３３から吐出された空気はバイパス管３６に流入せず、バイパス制御弁３５を介して全て空気供給管３１から空気通路３に流入する。
【００４０】
一方でバイパス制御弁３５が全開にされたときは、入口ポート３５ａと第１出口ポート３５ｂとが非連通状態となり、入口ポート３５ａと第２出口ポート３５ｃとが連通状態となる。その結果、コンプレッサ３３から吐出された空気はバイパス制御弁３５を介して全てバイパス管３６に流入し、空気通路３には流入しなくなる。
【００４１】
そして、バイパス弁制御弁が全閉及び全開以外の開度（任意の中間開度）にされたときは、入口ポート３５ａは、第１出口ポート３５ｂ及び第２出口ポート３５ｃとそれぞれ連通した状態となる。その結果、バイパス制御弁３５の開度に応じてコンプレッサ３３から吐出された空気の一部がバイパス制御弁３５を介してバイパス管３６に流入し、残りがバイパス制御弁３５を介して空気供給管３１から空気通路３に流入する。バイパス制御弁３５の開度を大きくするほど、コンプレッサ３３から吐出された空気のうち、バイパス管３６に流入する空気の比率が高くなる。
【００４２】
このようにバイパス制御弁３５は、コンプレッサ３３から吐出された空気のうち、空気通路３に供給される空気の量及びバイパス管３６内へ流れ込む空気の量を制御する。
【００４３】
カソードオフガス管３７は、空気通路３の出口から流出したカソードオフガスが流れる配管であって、一端が空気通路３の出口に連結され、他端が大気に開口している。カソードオフガスは、各単セル１内で電気化学反応に使用されなかった余剰の酸素と、窒素等の不活性ガスと、電気化学反応によって生じた水蒸気と、の混合ガスである。
【００４４】
カソード圧力制御弁３８は、カソードオフガス管３７に設けられる。カソード圧力制御弁３８は、連続的又は段階的に開度を調整することができる電磁弁であり、その開度は電子制御ユニット２００によって制御される。カソード圧力制御弁３８の開度を制御することで、空気通路３内の圧力であるカソード圧力が制御される。
【００４５】
カソード圧力制御弁３８よりも上流のカソードオフガス管３７には、カソード圧力センサ２１４が設けられる。カソード圧力センサ２１４は、空気通路３内の圧力（カソード圧力）を代表する値として、カソード圧力制御弁３８よりも上流のカソードオフガス管３７内の圧力を検出する。
【００４６】
希釈器３９は、カソード圧力制御弁３８よりも下流のカソードオフガス管３７に設けられる。前述したように、希釈器３９にはパージ管２５が連結されており、カソードオフガス管３７を介してカソードオフガス及びバイパス空気が流入し、パージ管２５を介してアノードオフガスが流入する。その結果、希釈器３９の内部でカソードオフガス、バイパス空気及びアノードオフガスが混合され、それらの混合ガスが排出ガスとして希釈器３９よりも下流のカソードオフガス管３７から大気に排出される。このように、希釈器３９の内部でカソードオフガス、バイパス空気及びアノードオフガスを混合させることで、アノードオフガス中の水素をカソードオフガス及びバイパス空気によって希釈し、大気に排出される排出ガスの水素濃度が基準濃度（例えば４％）未満になるようにしている。
【００４７】
このように本実施形態では、水素通路２からパージ管２５に流出したアノードオフガスを、水素供給管２１に戻すことなくカソードオフガス管３７から大気に排出している。すなわち本実施形態による燃料電池システム１００は、水素非循環式である。
【００４８】
水素非循環式の燃料電池システム１００の場合、アノードオフガスを水素供給管２１に戻して循環させる水素循環式のシステムに比べ、アノードオフガスを水素供給管２１に戻して循環させるための循環ポンプなどが不要となる。そのため、水素非循環式の燃料電池システム１００は、水素循環式のシステムと比べて、循環ポンプを駆動するための電力が不要となって燃費の向上を図ることができると共に、構成を簡素化してコストを低減することができる。
【００４９】
冷却水循環装置４０は、冷却水循環配管４１と、冷却水ポンプ４２と、ラジエータ４３と、ラジエータバイパス管４４と、ラジエータバイパス制御弁４５と、を備える。
【００５０】
冷却水循環配管４１は、燃料電池スタック１０を冷却するための冷却水を循環させる配管であって、一端が冷却水通路４の入口に接続され、他端が冷却水通路４の出口に接続される。以下では、冷却水通路４の出口側を冷却水循環配管４１の上流と定義し、冷却水通路４に入口側を冷却水循環配管４１の下流と定義して説明する。
【００５１】
冷却水ポンプ４２は、冷却水循環配管４１の下流側に設けられ、冷却水を循環させる。
【００５２】
ラジエータ４３は、冷却水ポンプ４２よりも上流の冷却水循環配管４１に設けられ、冷却水通路４の出口から流出した冷却水を、例えば走行風やラジエータファン４６によって吸い込んだ空気によって冷却する。
【００５３】
ラジエータバイパス管４４は、ラジエータ４３を経由させずに冷却水を循環させることができるように設けられた配管であって、一端がラジエータバイパス制御弁４５に接続され、他端がラジエータ４３と冷却水ポンプ４２との間の冷却水循環配管４１に接続される。
【００５４】
ラジエータバイパス制御弁４５は、例えばサーモスタットであり、ラジエータ４３よりも上流の冷却水循環配管４１に設けられる。ラジエータバイパス制御弁４５は、冷却水の温度に応じて冷却水の循環経路を切り替える。具体的には、冷却水の温度が予め設定された基準温度よりも高いときは、冷却水通路４から冷却水循環配管４１に流出した冷却水が、ラジエータ４３を経由して再び冷却水通路４に流入するように冷却水の循環経路を切り替える。逆に、冷却水の温度が基準温度以下のときは、冷却水通路４から冷却水循環配管４１に流出した冷却水が、ラジエータ４３を経由せずにラジエータバイパス管４４を流れて直接冷却水通路４に流入するように冷却水の循環経路を切り替える。
【００５５】
ラジエータバイパス制御弁４５よりも上流の冷却水循環配管４１には、水温センサ２１５が設けられる。水温センサ２１５は、冷却水通路４から冷却水循環配管４１に流出した冷却水の温度を検出する。この水温センサ２１５で検出された冷却水の温度が予め定められた目標温度（例えば６０℃）となるように、冷却水ポンプ４２が電子制御ユニット２００からの制御信号に基づいて制御される。
【００５６】
電気負荷部５０は、第１コンバータ５１と、回路遮断器５２と、バッテリ５３と、第２コンバータ５４と、モータジェネレータ５５と、インバータ５６と、を備える。
【００５７】
電気負荷部５０と燃料電池スタック１０の出力端子との接続ライン５７には、燃料電池スタック１０から取り出される電流（以下「スタック電流」という。）を検出するための電流センサ２１６と、燃料電池スタック１０の出力端子の端子間電圧（以下「スタック電圧」という。）を検出するための電圧センサ２１７と、が設けられる。この電流センサ２１６で検出されたスタック電流が、燃料電池スタック１０（又は単セル１）の負荷に相当する。
【００５８】
第１コンバータ５１は、一次側端子の端子間電圧を昇降圧させることが可能な電気回路を備えた双方向性のＤＣ／ＤＣコンバータであり、一次側端子が回路遮断器５２を介して燃料電池スタック１０の出力端子に接続され、二次側端子がインバータ５６の直流側端子に接続される。第１コンバータ５１は、電子制御ユニット２００からの制御信号に基づいて一次側の端子間電圧となるスタック電圧を昇降圧させ、スタック電圧を燃料電池システム１００の運転状態に応じて設定される目標スタック電圧に制御する。
【００５９】
回路遮断器５２は、電子制御ユニット２００によって開閉され、燃料電池スタック１０と電気負荷部５０とを電気的に接続又は遮断する。なお、回路遮断器５２は必ずしも設ける必要はない。
【００６０】
バッテリ５３は、例えばニッケル・カドミウム蓄電池やニッケル・水素蓄電池、リチウムイオン電池などの充放電可能な二次電池である。バッテリ５３には、燃料電池スタック１０の余剰電力及びモータジェネレータ５５の回生電力が充電される。バッテリ５３に充電された電力は、必要に応じてモータジェネレータ５５やコンプレッサ３３等の燃料電池システム１００が備える各制御部品を駆動するために使用される。
【００６１】
第２コンバータ５４は、例えば二次側端子の端子間電圧を昇降圧させることが可能な電気回路を備えた双方向性のＤＣ／ＤＣコンバータであり、一次側端子がバッテリ５３の出力端子に接続され、二次側端子がインバータ５６の直流側端子に接続される。第２コンバータ５４は、電子制御ユニット２００からの制御信号に基づいて二次側の端子間電圧となるインバータ５６の入力電圧を昇降圧させ、入力電圧を燃料電池システム１００の運転状態に応じて設定される目標入力電圧に制御する。
【００６２】
モータジェネレータ５５は、例えば三相の永久磁石型同期モータであり、燃料電池システム１００が搭載される車両の動力を発生させるモータとしての機能と、車両の減速時に発電するジュネレータとしての機能と、を備える。モータジェネレータ５５は、インバータ５６の交流側端子に接続され、燃料電池スタック１０の発電電力及びバッテリ５３の電力によって駆動される。
【００６３】
インバータ５６は、電子制御ユニット２００からの制御信号に基づいて直流側端子から入力された直流電流を交流電流に変換して交流側端子から出力し、逆に電子制御ユニット２００からの制御信号に基づいて交流側端子から入力された交流電流を直流電流に変換して直流側端子から出力することが可能な電気回路を備える。インバータ５６の直流側端子は第１コンバータ５１及び第２コンバータ５４の二次側端子に接続され、インバータ５６の交流側端子はモータジェネレータ５５の入出力端子に接続される。インバータ５６は、モータジェネレータ５５をモータとして機能させるときは、燃料電池スタック１０のスタック電流及びバッテリ５３のスタック電流の合成直流電流を交流電流（本実施形態では三相交流電流）に変換してモータジェネレータ５５に供給する。一方でインバータ５６は、モータジェネレータ５５をジュネレータとして機能させるときは、モータジェネレータ５５からの交流電流を直流電流に変換してバッテリ５３等に供給する。
【００６４】
電子制御ユニット２００は、デジタルコンピュータから構成され、双方性バス２０１によって互いに接続されたＲＯＭ（リードオンリメモリ）２０２、ＲＡＭ（ランダムアクセスメモリ）２０３、ＣＰＵ（マイクロプロセッサ）２０４、入力ポート２０５及び出力ポート２０６を備える。
【００６５】
入力ポート２０５には、前述したアノード圧力センサ２１１や第１流量センサ２１２、第２流量センサ２１３、カソード圧力センサ２１４、水温センサ２１５、電流センサ２１６、電圧センサ２１７の他にも、第１単セル温度センサ２１８や第２単セル温度センサ２１９、燃料電池スタック１０のインピーダンスを検出するためのインピーダンスセンサ（図示せず）などの出力信号が、対応する各ＡＤ変換器２０７を介して入力される。また、入力ポート２０５には、燃料電池システム１００の起動及び停止を判断するためのスタートスイッチ２２０からの出力信号が入力される。
【００６６】
第１単セル温度センサ２１８は、各単セル１の中から選択された１枚の単セル（以下「代表セル」という。）の温度Ｔ１を検出するためのセンサであって、例えば熱電対を用いることができる。本実施形態では、燃料電池スタック１０の積層方向中央部に位置し、各単セル１の中でも平均的な電圧挙動を示す単セルを代表セルとしている。
【００６７】
第２単セル温度センサ２１９は、各単セル１の中から代表セルよりもフラッディングが生じやすい単セルとして選択されたフラッディング判定用セルの温度Ｔ２を検出するためのセンサであって、例えば熱電対を用いることができる。本実施形態では、燃料電池スタック１０の積層方向他端側（空気通路の入口が形成されている側の反対側）に位置し、各単セル１の中で最もフラッディングが生じやすいエンドセルをフラッディング判定用セルとしている。
【００６８】
出力ポート２０６には、対応する駆動回路２０８を介して水素供給制御弁２３（遮断弁２３１、レギュレータ２３２及びインジェクタ２３３）やパージ制御弁２６、コンプレッサ３３、バイパス制御弁３５、カソード圧力制御弁３８、冷却水ポンプ４２、第１コンバータ５１、回路遮断器５２、第２コンバータ５４、モータジェネレータ５５、インバータ５６などの各制御部品が電気的に接続される。
【００６９】
このように、入力ポート２０５には燃料電池システム１００を制御するために必要な各種センサの出力信号が入力されており、電子制御ユニット２００は、入力ポート２０５に入力された各種センサの出力信号に基づいて、各制御部品を制御するための制御信号を出力ポート２０６から出力する。
【００７０】
ここで、燃料電池スタック１０で発電が行われているときは、前述した電気化学反応によって単セル１のカソード極内の触媒層で水が生成される。この生成水がカソード極内のガス拡散層に過剰に蓄積されると、ガス拡散層に蓄積された生成水によって触媒層への空気供給が阻害されるフラッディングと呼ばれる現象が生じる。フラッディングが生じている単セル１では、ガス拡散層に蓄積された生成水によって触媒層への空気供給が阻害されることになる。そのため、フラッディングが生じている単セル１では、一時的に他の正常な単セル１（フラッディングが生じていない単セル１）よりもＩＶ特性が悪化し、当該単セル１の電圧も低下することになる。
【００７１】
このように単セル１のＩＶ特性は、単セル１の電解質膜が過剰に加湿された状態になると一時的に悪化するが、電解質膜が過剰に乾燥された状態になっても同様に一時的に悪化する。すなわち単セル１の電圧は、単セル１の電解質膜が過剰に加湿された状態になると一時的に低下し、同様に電解質膜が過剰に乾燥された状態になっても一時的に低下する。
【００７２】
そこで、前述した従来の燃料電池システムの制御装置では、所定の閾値よりも電圧が低い単セルがあるか否かを判定し、所定の閾値よりも電圧が低い単セルがあった場合には、さらに電圧低下の原因が電解質膜の過剰な加湿（フラッディング）によるものか、過剰な乾燥によるものかを判定し、判定結果に応じて水排出運転（フラッディング解消運転）又は乾燥抑制運転のいずれか一方を行うようにしていた。
【００７３】
しかしながら、単セル１のＩＶ特性の悪化は、上記のような電解質膜の乾湿状態の変化による一時的なものに限らず、触媒の経時劣化による永続的なものがある。以下、この触媒の経時劣化による永続的なＩＶ特性の悪化について説明する。
【００７４】
単セル１の両電極内の触媒層に含まれている触媒（例えば白金）は、電極電位が所定電位（例えば０．８Ｖ）以上になるとイオン状態となって電解質膜中に溶出し、所定電位未満になると電解質膜中などで再析出する。つまり、スタック電圧が所定の触媒劣化電圧（電極電位が所定電位以上になるスタック電圧）以上になると、触媒層に含まれる白金が溶出し始め、触媒劣化電圧未満になると、溶出した白金が析出し始める。
【００７５】
そして、燃料電池システム１００の運転中は、燃料電池スタック１０の負荷変動（スタック電流の変化）に応じてスタック電圧が触媒劣化電圧を跨いで繰り返し上下動することになるので、特にアノード極の電位が所定電位を跨いで繰り返し上下動することになる。その結果、アノード極内の触媒層に含まれる触媒の溶出と析出が繰り返されて触媒の表面積が徐々に減少し、触媒が経時的に劣化していく。このような触媒の経時劣化が生じて触媒の表面積が減少すると、その分電気化学反応が起こりにくくなるので、単セル１のＩＶ特性が永続的に悪化する。
【００７６】
したがって、前述した従来の燃料電池システムの制御装置のように、所定の閾値よりも電圧が低い単セルがあった場合に必ず水排出運転又は乾燥抑制運転のいずれか一方を実施すると、単セルの電圧低下の原因が触媒の経時劣化によるＩＶ特性の悪化によるものであった場合には、電解質膜の乾湿状態が適切な状態であるにもかかわらず必ず水排出運転又は乾燥抑制運転のいずれか一方が実施されることになる。そのため、更なる単セルの電圧低下を招くおそれがある。
【００７７】
つまり、前述した従来の燃料電池システムの制御装置では、触媒の経時劣化によるＩＶ特性の悪化を考慮していなかったため、フラッディングが生じているか否かの判定精度に問題があった。
【００７８】
以下ではまず、図２を参照して、単セル１のＩＶ特性と、発電時における単セル１の発熱量と、の関係について説明する。図２において実線は、触媒の経時劣化が生じておらず、また、一時的なＩＶ特性の悪化も生じていない単セルのＩＶ特性（以下「初期ＩＶ特性」という。）である。一方で破線は、何らかの要因で初期ＩＶ特性からＩＶ特性が悪化している単セルのＩＶ特性である。
【００７９】
図２に示すように、燃料ガスのとしての水素が有する化学エネルギを全て電気エネルギに変換できた場合、単セル電圧は理論電圧（１．２３Ｖ）となる。
【００８０】
しかしながら発電時には、単セル１の内部で抵抗分極や活性化分極、拡散分極などの様々な損失が発生するため、化学エネルギを全て電気エネルギに変換することはできず、化学エネルギの一部は損失として熱エネルギに変換される。この発電時に発生する損失分が、発電時における単セル１の発熱量となる。
【００８１】
そして、図２に破線で示すように、何らかの要因で単セル１のＩＶ特性が悪化した場合には、同じ負荷で発電していたとしてもＩＶ特性が悪化した分だけ損失が増加するので、発電時における単セル１の発熱量が増加する。つまり、ＩＶ特性が悪化している単セル１の温度は、他の正常な単セル１の温度よりも高くなる傾向にある。
【００８２】
そこで本実施形態では、発電時における単セル１の発熱量が単セル１のＩＶ特性に応じて変化し、結果としてＩＶ特性が悪化している単セル１の温度が他の正常な単セル１の温度よりも高くなることに着目して、触媒の経時劣化による単セル１のＩＶ特性の悪化を考慮した精度の高いフラッディング判定を実施する。以下、図３及び図４を参照して、本実施形態によるフラッディング判定制御について説明する。
【００８３】
図３に破線で示すように、燃料電池システム１００が運転されると、その運転履歴に応じて触媒の経時劣化が生じ、単セル１のＩＶ特性が初期ＩＶ特性から徐々に悪化していく。触媒の経時劣化による単セル１のＩＶ特性の悪化は永続的なものである。
【００８４】
したがって、燃料電池システム１００の運転時における現在の単セル１のＩＶ特性は、電解質膜の乾湿状態が適切な状態であれば、触媒の経時劣化によって悪化したＩＶ特性となる。つまり、触媒の経時劣化によって悪化したＩＶ特性が、単セル１の適正なＩＶ特性となる。
【００８５】
ここで、発電時における単セル１の温度は、発電時における単セル１の発熱量に応じて変化し、発電時における単セル１の発熱量は、前述したように単セル１のＩＶ特性に応じて変化する。つまり、発電時における単セル１の温度は、単セル１のＩＶ特性に応じて変化する。したがって、単セル１のＩＶ特性が分かれば、発電時における単セル１の温度を推定することができる。
【００８６】
そこで本実施形態では、燃料電池システム１００の運転履歴に基づいて、触媒の経時劣化度合いに応じた単セル１の適正ＩＶ特性を推定し、適正ＩＶ特性に基づいて、触媒の経時劣化度合いを考慮した単セル１の適正温度を燃料電池スタック１０の負荷に応じて算出する。この触媒の経時劣化度合いを考慮した単セル１の適正温度は、換言すれば、単セル１のＩＶ特性が適正ＩＶ特性の状態で発電が行われたときの当該単セル１の発熱量（損失）から予想される当該単セル１の温度である。
【００８７】
そして、図３に一点鎖線で示すように、フラッディングが生じている単セル１のＩＶ特性は、適正ＩＶ特性からさらに悪化することになるので、フラッディングが生じている単セル１の温度は、基本的に適正温度よりも高くなる。
【００８８】
一方で、発電時における単セル１の温度は、発電時における単セル１の発熱量以外にも、発電時に冷却水や外気との熱交換によって単セル１から奪われる熱量（以下「単セル１からの放熱量」という。）の大きさによっても変化する。したがって、例えば単セル１からの放熱量が想定よりも少なくなれば、フラッディングが生じていなくても、単セル１の温度が適正温度よりも高くなる場合がある。なお、各単セル１が接する冷却水や外気の温度は基本的に同じなので、各単セル１からの放熱量も基本的に同じになる。
【００８９】
そこで本実施形態では、フラッディングが生じているおそれがあるか否かを単セル１の温度が適正温度よりも高くなっているか否かで判定し、さらに単セル１からの放熱量の影響を排除するために、温度が適正温度よりも高くなっている単セル１と、当該単セル１とは別の単セル１と、の少なくとも２つの単セル１の温度差を比較し、その比較結果に基づいて最終的にフラッディングが生じているか否かを判定する。
【００９０】
図４は、電子制御ユニット２００が実施する本実施形態によるフラッディング判定制御について説明するフローチャートである。
【００９１】
ステップＳ１において、電子制御ユニット２００は、以下の（１）式に基づいて、カソード極上の液水量を算出する。
カソード極上の液水量＝生成水量＋極間水移動量−液水排出量−蒸気排出量  …（１）
【００９２】
生成水量は、発電時における電気化学反応によってカソード極上で生成される液水量である。生成水量は、例えばスタック電流（負荷）に基づいて、予めＲＯＭ２０２に記憶されたテーブルを参照することで算出できる。
【００９３】
極間水移動量は、電解質膜を介して電極間を移動する水の収支であって、発電時にプロトンが移動するのに伴ってアノード極からカソード極に移動する電気浸透による水移動量から、電解質膜の厚み方向の含水率の勾配によってカソード極からアノード極に移動する拡散による水移動量を減算した値である。極間水移動量については公知の種々の方法で算出することが可能である。電気浸透による水移動量は、例えばスタック電流（負荷）に基づいて、予めＲＯＭ２０２に記憶されたテーブルを参照することで算出できる。また、拡散による水移動量は、例えば電解質膜の含水率や電解質膜中の水拡散係数、カソード圧力とアノード圧力との差圧などに基づいて、演算や予めＲＯＭ２０２に記憶されたマップ等を参照することで算出できる。電解質膜の含水率は、例えば燃料電池スタック１０のインピーダンスから算出することができる。電解質膜中の水拡散係数は、電解質膜の厚みや素材等に応じて定まる物性値である。
【００９４】
液水排出量は、空気通路３から排出される液水量である。液水排出量は、例えばスタック電流（負荷）と、空気通路３に流入する空気の流量（＝吐出空気流量−バイパス空気流量）とに基づいて、予めＲＯＭ２０２に記憶されたマップ等を参照することで算出できる。
【００９５】
蒸気排出量は、空気通路３から排出される水蒸気量である。蒸気排出量は、例えば冷却水の温度と、空気通路３に流入する空気の流量とに基づいて、予めＲＯＭ２０２に記憶されたマップ等を参照することで算出できる。
【００９６】
ステップＳ２において、電子制御ユニット２００は、燃料電池システム１００の運転履歴に基づいて、触媒の経時劣化度合いに応じた単セル１の適正ＩＶ特性を推定する。
【００９７】
前述したように触媒の経時劣化は、スタック電圧が触媒劣化電圧を跨いで繰り返し上下動することによって、触媒の溶出と再析出が繰り返されることによって生じる。したがって触媒の経時劣化度合いは、燃料電池システム１００の運転履歴、例えば燃料電池システム１００の全運転時間と、スタック電圧が触媒劣化電圧以上になっている時間とから判断することができる。
【００９８】
そこで本実施形態では、燃料電池システム１００の運転履歴と触媒の経時劣化度合いとを関連付けたマップを予め実験等によって作成し、予めＲＯＭ２０２に記憶させている。そして、燃料電池システム１００の運転履歴に基づいて、前述したマップを参照して触媒の経時劣化度合いを算出し、初期ＩＶ特性を触媒の経時劣化度合いに基づいて補正することで、触媒の経時劣化度合いに応じた単セル１の適正ＩＶ特性を推定するようにしている。
【００９９】
なお、触媒の溶出は、高温、高湿潤状態のほうが起こりやすいので、スタック電圧が触媒劣化電圧以上になっているときの冷却水の温度及び電解質膜の乾湿状態と相関関係にあるパラメータ（例えばカソード極上の液水量や燃料電池スタック１０のインピーダンス）の一方又は双方に基づいて触媒の経時劣化度合いを補正した上で、触媒の経時劣化度合いに応じた単セル１の適正ＩＶ特性を推定しても良い。
【０１００】
また、電流センサ２１６で検出されたスタック電流と、電圧センサ２１７で検出されたスタック電圧と、に基づく実際のＩＶ特性に基づいて、適正ＩＶ特性を逐次補正するようにしても良い。
【０１０１】
ステップＳ３において、電子制御ユニット２００は、フラッディングが生じやすい運転状態にあるか否かを判定する。電子制御ユニット２００は、カソード極上の液水量が所定量未満であれば、フラッディングが生じやすい運転状態ではないと判定してステップＳ４の処理に進む。一方で電子制御ユニット２００は、カソード極上の液水量が所定量以上であれば、フラッディングが生じやすい運転状態であると判定してステップＳ５の処理に進む。
【０１０２】
ステップＳ４において、電子制御ユニット２００は、燃料電池システム１００を通常運転させる。具体的には、電子制御ユニット２００は、吐出空気流量及びカソード圧力がスタック電流（負荷）に応じた目標吐出空気流量及び目標カソード圧力となるように、コンプレッサ及びカソード圧力制御弁を制御する。また、冷却水の温度が予め定められた目標温度となるように、冷却水ポンプを制御する。
【０１０３】
ステップＳ５において、電子制御ユニット２００は、電流センサ２１６によって検出されたスタック電流と、第１単セル温度センサ２１８によって検出された代表セルの温度Ｔ１と、第２単セル温度センサ２１９によって検出されたフラッディング判定用セルの温度Ｔ２と、を取得する。
【０１０４】
ステップＳ６において、電子制御ユニット２００は、ステップＳ２で推定した適正ＩＶ特性に基づいて、燃料電池スタック１０の負荷に応じた単セル１の適正温度を算出する。具体的には、電子制御ユニット２００は、適正ＩＶ特性と燃料電池スタック１０の負荷としてのスタック電流とに基づいて、予めＲＯＭ２０２に記憶された複数のマップの中から選択された最適なマップを参照して単セル１の適正温度を算出する。
【０１０５】
このＲＯＭ２０２に記憶された各マップは、触媒の経時劣化度合いに応じたＩＶ特性ごとに、スタック電流に応じた単セル１の適正温度を格納したものである。電子制御ユニット２００は、触媒の経時劣化度合いに応じた各ＩＶ特性の中から、適正ＩＶ特性と一致するＩＶ特性又は適正ＩＶ特性に近いＩＶ特性を選択し、その選択したＩＶ特性に対応するマップを参照して、ステップＳ３で取得したスタック電流に応じた単セル１の適正温度を算出する。
【０１０６】
なお、適正温度は、前述したように単セル１のＩＶ特性が適正ＩＶ特性の状態で発電が行われたときの当該単セル１の発熱量（損失）から予想される当該単セル１の温度である。したがって、単セル１の初期温度が異なると、適正温度も変化するおそれがある。そこで、適正ＩＶ特性に基づいて算出した適正温度を、単セル１の初期温度、例えば外気温度やシステム起動直後の冷却水の温度等に基づいて補正しても良い。
【０１０７】
また、ステップＳ６では適正ＩＶ特性から直接的に適正温度を算出しているが、適正ＩＶ特性から間接的に適正温度を算出しても良く、例えば、適正ＩＶ特性に基づいて燃料電池スタック１０の負荷に応じた単セル１の発熱量を算出し、単セル１の発熱量に基づいて適正温度を算出しても良い。このように、適正ＩＶ特性に基づいて適正温度を算出する方法については特に限定されるものではない。
【０１０８】
また、ステップＳ６では、燃料電池スタック１０の負荷としてのスタック電流が単セル１の負荷としてもみなせるので、スタック電流から単セル１の適正温度を算出しているが、例えばスタック電流をスタック枚数で除算した単セル１の負荷としての単セル電流から単セル１の適正温度を算出しても良い。
【０１０９】
ステップＳ７において、電子制御ユニット２００は、フラッディング判定用セルの温度Ｔ２が適正温度よりも高いか否かを判定する。このような判定を行うのは、フラッディング判定用セルの温度が適正温度よりも高ければ、適正ＩＶ特性から一時的にＩＶ特性が悪化し、その結果として発熱量が増加してフラッディング判定用セルの温度Ｔ２が適正温度よりも高くなっている可能性があると考えられるからである。すなわち、フラッディング判定用セルの温度Ｔ２が適正温度よりも高ければ、フラッディング判定用セルにおいてフラッディングが生じている可能性があると考えられるからである。
【０１１０】
したがって電子制御ユニット２００は、フラッディング判定用セルの温度Ｔ２が適正温度よりも高ければ、フラッディング判定用セルにおいてフラッディングが生じている可能性があると判定してステップＳ８の処理に進む。一方で、フラッディング判定用セルの温度Ｔ２が適正温度以下であれば、フラッディング判定用セルにおいてフラッディングが生じている可能性はないと判定してステップＳ４の処理に進む。
【０１１１】
ステップＳ８において、電子制御ユニット２００は、フラッディング判定用セルと代表セルとの温度差が所定値以上か否かを判定する。このような判定を行うのは、以下の理由による。
【０１１２】
前述したように、発電時における単セル１の温度は、発電時における単セル１の発熱量以外にも、発電時における単セル１からの放熱量の大きさによっても変化する。したがって、フラッディング判定用セルでフラッディングが生じていなくても、フラッディング判定用セルからの放熱量が想定よりも少ない場合は、フラッディング判定用セルの温度Ｔ２が適正温度よりも高くなることがある。そして、フラッディング判定用セルからの放熱量が想定よりも少ない場合は、代表セルからの放熱量も同様に少なくなっているので、放熱量の減少に伴って代表セルの温度Ｔ１も高くなる。そのため、両セルの温度差にほとんど差はでない。
【０１１３】
一方で、フラッディング判定用セルでフラッディングが生じていて、代表セルではまだフラッディングが生じていない場合は、フラッディング判定用セルのＩＶ特性だけが一時的に悪化して発熱量が増加するので、両セルの間に温度差が生じる。
【０１１４】
したがって、温度差が所定値未満であれば、単に放熱量が少ないためにフラッディング判定用セルの温度Ｔ２が適正温度よりも高くなっていると考えることができる。つまり、ＩＶ特性の一時的な悪化以外の要因で、フラッディング判定用セルの温度Ｔ２が適正温度よりも高くなっていると考えることができる。そして、温度差が所定値以上であれば、フラッディングによるＩＶ特性の一時的な悪化によって発熱量が増加してフラッディング判定用セルの温度Ｔ２が適正温度よりも高くなっていると考えることができる。
【０１１５】
したがって電子制御ユニット２００は、温度差が所定値以上であれば、フラッディング判定用セルでフラッディングが生じているためにフラッディング判定用セルの温度Ｔ２が適正温度よりも高くなっていると判定し、ステップＳ９の処理に進む。一方で電子制御ユニット２００は、温度差が所定値未満であれば、単にフラッディング判定用セルからの放熱量が少ないためにフラッディング判定用セルの温度Ｔ２が適正温度よりも高くなっていると判定し、ステップＳ４の処理に進む。
【０１１６】
ステップＳ９において、電子制御ユニット２００は、フラッディング解消運転を実施する。具体的には、電子制御ユニット２００は、スタック電流（負荷）に応じた目標吐出空気流量よりも吐出空気流量を増加させる制御、スタック電流（負荷）に応じた目標カソード圧力よりもカソード圧力を低下させる制御、及び、予め定められた目標温度よりも冷却水の温度を上昇させる制御の少なくとも１つを実施する。
【０１１７】
以上説明した本実施形態によれば、燃料ガスしての水素と酸化剤ガスとしての空気の電気化学反応により電力を発生する単セル１を複数積層して構成された燃料電池スタック１０を備える燃料電池システム１００を制御する電子制御ユニット（制御装置）２００が、燃料電池システム１００の運転履歴に基づいて単セル１の触媒の劣化度合いに応じた適正ＩＶ特性を推定し、適正ＩＶ特性に基づいて燃料電池スタック１０の負荷に応じた単セル１の適正温度を算出し、単セル１の中から選択された代表セルと、代表セルよりもフラッディングが生じやすいフラッディング判定用セルと、の少なくとも２つの単セル１の温度を取得し、フラッディング判定用セルの温度Ｔ２が適正温度以上であって、フラッディング判定用セルと代表セルとの温度差が所定値以上のときに、少なくともフラッディング判定用セルでフラッディングが生じていると判定するように構成されている。
【０１１８】
このように本実施形態によれば、燃料電池システム１００の運転履歴から触媒の経時劣化度合いに応じた適正ＩＶ特性を推定し、その推定した適正ＩＶ特性から触媒の経時劣化度合いに応じた単セル１の適正温度を算出する。
【０１１９】
そして、フラッディングが生じているか否かを判定するにあたって、フラッディング判定用セルの温度が適正温度よりも高いか否かを判定するので、フラッディングによる一時的なＩＶ特性の悪化によってフラッディング判定用セルの温度が高くなっているのか、又は触媒の経時劣化による永続的なＩＶ特性の悪化よってフラッディング判定用セルの温度が高くなっているのかを判別することができる。
【０１２０】
その上でさらにフラッディング判定用セルと代表セルとの温度差が所定値以上か否かを判定するので、フラッディング判定用セルからの放熱量が少ないためにフラッディング判定用セルの温度が高くなっているのか、又はフラッディングによる一時的なＩＶ特性の悪化によってフラッディング判定用セルの温度が高くなっているのかを判別することができる。
【０１２１】
よって、触媒の経時劣化度合いを考慮した精度の高いフラッディング判定を実施することができる。すなわち、触媒の経時劣化度合いに応じた発電時における単セル１の発熱量の変化と、発電時における単セル１からの放熱量の変化と、を考慮した精度の高いフラッディング判定を実施することができる。
【０１２２】
以上、本発明の実施形態について説明したが、上記実施形態は本発明の適用例の一部を示したに過ぎず、本発明の技術的範囲を上記実施形態の具体的構成に限定する趣旨ではない。
【０１２３】
例えば上記の実施形態では、図４のフローチャートのステップＳ１でカソード極上の液水量を算出し、ステップＳ３でカソード極上の液水量を所定量と比較することでフラッディングが生じやすい運転状態にあるか否かを判定していたが、電解質膜の乾湿状態（含水率）と燃料電池スタック１０のインピーダンスとの間には相関関係があるため、例えばステップＳ１で燃料電池スタック１０のインピーダンスを算出し、ステップＳ３で燃料電池スタック１０のインピーダンスを所定値と比較することでフラッディングが生じやすい運転状態にあるか否かを判定しても良い。
【０１２４】
また上記の実施形態では、触媒の経時劣化度合いを判断するための燃料電池システム１００の運転履歴として、燃料電池システム１００の全運転時間と、スタック電圧が触媒劣化電圧以上になっている時間と、を使用していたが、これに限らずスタック電圧の変動幅やスタック電圧が触媒劣化電圧を跨いだ回数などを運転履歴として使用しても良い。
【０１２５】
また上記の実施形態では、水素非循環式の燃料電池システム１００を例に説明したが、水素循環式の燃料電池システムであっても良い。
【符号の説明】
【０１２６】
１    燃料電池単セル
１０    燃料電池スタック
１００    燃料電池システム
２００    電子制御ユニット（制御装置）
【図１】
2016134258.tif 000003
【図２】
2016134258.tif 000004
【図３】
2016134258.tif 000005
【図４】
2016134258.tif 000006